(57)【要約】【課題】吸込パイプを衛生的に保ち、パイプ伸縮の際に使用者が塵埃が付着した部分を持つことのない電気掃除機を提供する。【解決手段】掃除機本体３に、第２パイプ７を収納した際に、第２パイプ７と接触するように配置した塵埃除去体１１と、第２パイプ７がシールされるように配置したシール材１０を有した収納部９とを備えることで、第２パイプ７を収納部９へ収納する際に、第２パイプ７に付着した塵埃を塵埃除去体１１により除去できる。また、前記収納部９から第２パイプ７を抜く際に、塵埃除去体１１に付着した塵埃を除去することができ、第２パイプ７を衛生的に保つことができる。【選択図】図１
2014223110.tif 000002
【特許請求の範囲】
【請求項１】
上部に使用者が保持する把手部を有する第１パイプと、吸込開口を有し第１パイプの内部に進退可能に伸縮できるように第１パイプに保持された第２パイプと、下部に吸込開口を有する吸込口体と、吸込口体から塵埃を吸い込む電動送風機と、吸込開口から吸い込まれた塵埃を収容する集塵室とを有した掃除機本体と、前記掃除機本体に、第２パイプを収納した際に、第２パイプと接触するように配置した塵埃除去体と、第２パイプがシールされるように配置したシール材を有した収納部とを備えたことを特徴とした電気掃除機。
【請求項２】
塵埃除去体は、収納部の下端と収納部に配置されたシール材との間に配置されていることを特徴とした請求項１に記載の電気掃除機。
【請求項３】
塵埃除去体が、毛の向きが収納方向と逆向きに配置されている起毛布であることを特徴とした請求項１に記載の電気掃除機。
【発明の詳細な説明】
【技術分野】
【０００１】
本発明は、掃除機本体に伸縮自在のパイプ手段を有する電気掃除機に関するもので、特にパイプを衛生的に保つための手段に関するものである。
【背景技術】
【０００２】
従来、この種の縦型の電気掃除機においては、使用者が生活空間の掃除を行う際に、塵埃を吸引するためのパイプを多段階に伸縮でき、また掃除後に電気掃除機を収納する際は、塵埃を吸引するためのパイプを掃除機本体内部に収納する構成を有している。（例えば、特許文献１参照）。
【先行技術文献】
【特許文献】
【０００３】
【特許文献１】特開２００８−８００４３号公報
【発明の概要】
【発明が解決しようとする課題】
【０００４】
しかしながら、前記従来の構成では、塵埃を吸引した後のパイプを掃除機本体内部に収納する際に掃除機本体内部がパイプに付着した塵埃で汚れる、または掃除を行う際に汚れているパイプを持ち伸縮しなければならないという課題を有していた。
【０００５】
本発明は、前記従来の課題を解決するもので、塵埃を吸引した後のパイプを衛生的に保つことができる使用性の良い電気掃除機を提供することを目的とする。
【課題を解決するための手段】
【０００６】
前記従来の課題を解決するために、本発明は、使用者が保持する把手部を有する第１パイプと、一端が掃除機本体に接続され、他端が第１パイプに接続されるとともに、第１パイプと集塵室とを連通する集塵ホースと、吸込開口を有し第１パイプの内部に進退可能に収納できるように第１パイプに保持された第２パイプと、掃除機本体に第２パイプを収納する際に、第２パイプと接触するように配置した塵埃除去体と、第２パイプがシールされるように配置したシール材とを備えた収納部を有する電気掃除機を提供する。
【０００７】
これによって、第２パイプを収納する際に、塵埃除去体が第２パイプに付着した塵埃を除去することができる。また、収納部より第２パイプを抜く際に、第２パイプの吸込開口に吸引がかかり、塵埃除去体に付着した塵埃を除去することができる。
【発明の効果】
【０００８】
本発明の電気掃除機にすれば、第２パイプに付着した塵埃を塵埃除去体により除去することができ、第２パイプを伸縮する際に、塵埃の付着していない第２パイプを使用することができる。また、第２パイプを抜く際には、塵埃除去体に付着している塵埃を除去することができるため、収納部を衛生的に保つことができるとともに、第２パイプへの再付着を防止することができる。
【図面の簡単な説明】
【０００９】
【図１】本発明の電気掃除機の第１実施形態における掃除機本体の収納状態を示した斜視図
【図２】第１実施形態の第２パイプを掃除機本体から取り外して掃除を行う場合を示した斜視図
【図３】第１実施形態の第２パイプが掃除機内部の収納部へ収納された状態の断面図
【図４】第１実施形態における収納部から第２パイプを抜いた状態の断面図
【図５】第２実施形態における収納部に配置した塵埃除去体を示す断面図
【発明を実施するための形態】
【００１０】
第１の発明は、上部に使用者が保持する把手部を有する第１パイプと、吸込開口を有し第１パイプの内部に進退可能に伸縮できるように第１パイプに保持された第２パイプと、下部に吸込開口を有する吸込口体と、吸込口体から塵埃を吸い込む電動送風機と、吸込口体から吸い込まれた塵埃を収容する集塵室とを有した掃除機本体と、前記掃除機本体に、第２パイプを収納した際に、第２パイプと接触するように配置した塵埃除去体と、第２パイプがシールされるように配置したシール材を有した収納部とを設置したもので、第２パイプを収納部へ収納することで第２パイプに付着した塵埃を塵埃除去体により除去することができ、また前記収納部から第２パイプを抜くことで、塵埃除去体に付着した塵埃を除去することで、収納部を衛生的に保つことができるとともに、第２のパイプへの塵埃の再付着を防止することができる。
【００１１】
第２の発明は、特に、第１の発明の塵埃除去体を、収納部の下端とシール材との間に位置することで、塵埃除去体により除去された第２パイプの塵埃が、第２パイプを収納してから抜くまでの間に、収納部より出てくることを防止することができる。
【００１２】
第３の発明は、特に、第１の発明の塵埃除去体を、毛の向きが第２パイプの収納方向と逆向きに配置された起毛布で構成することで、収納の際には起毛布の毛が抵抗となり、塵埃を除去でき、また抜く際には、毛の向きと同方向に抜くため抵抗がなく操作性を良くすることができる。
【００１３】
以下、本発明の実施の形態について、図面を参照しながら説明する。なお、この実施の形態によって本発明が限定されるものではない。
【実施例】
【００１４】
（実施の形態１）
図１は、本発明の第１の実施の形態における掃除機本体の収納状態を示した斜視図、図２は、本発明の電気掃除機の第１実施形態における第２パイプを掃除機本体から取り外して掃除を行う場合を示した斜視図、図３は、第２パイプが収納部へ収納された状態の断面図、図４は、収納部から第２パイプを抜いた状態の断面図を示すものである。
【００１５】
図１、図２、図３、図４において、掃除機本体３は、電動送風機（図示せず）を内蔵すると共に集塵室２を備え、掃除機本体３の下部に吸込口体１が、上部に使用者が保持する把手部５有する第１パイプ４と、一端が掃除機本体に接続され、他端が第１パイプ４に接続されるとともに、第１パイプ４と集塵室２とを連通する集塵ホース６と、吸込開口８を有し第１パイプ４の内部に進退可能に収納できるように保持された第２パイプ７がそれぞれ設置されている。
【００１６】
次に、第２パイプ７を収納した際に、第２パイプ７と接触するように配置した塵埃除去体１１と、第２パイプ７をシールするように配置したシール材１０を備えた収納部９が掃除機内部に設置されている。
【００１７】
以上のように構成された電気掃除機について、以下その動作、作用を説明する。
【００１８】
まず、図３のように、収納部９は、第２パイプ７を収納した際に、第２パイプ７と接触
するように配置された塵埃除去体１１を備えており、第２パイプ７を収納することで、第２パイプ７に付着した塵埃を塵埃除去体１１により除去することができる。
【００１９】
次に、第２パイプ７を抜く際に、第２パイプ７のシールが解除され、第２パイプ７の吸込開口８より塵埃除去体１１に付着した塵埃が除去される。
【００２０】
（実施の形態２）
本発明の第２の実施の形態について、図５を用いて説明する。なお、第１実施形態と同一部分については同一符号を付してその説明を省略する。
【００２１】
図５において、塵埃除去体１１は起毛布により構成されている。また、起毛布の毛の方向は、第２パイプ７の収納方向と逆向きに配置されている。
【００２２】
これにより、第２パイプ７を収納する際に、起毛布の毛が抵抗となり、塵埃を除去できる。また、第２パイプ７を抜く際には、第２パイプ７の抜く向きと起毛布の毛の向きが同一となるため、起毛布の毛の抵抗がなく抜くことができる。
【００２３】
以上のように、本実施の形態においては、パイプを掃除機本体３の収納部９に脱着することで、第２パイプ７を衛生的に保つことができ、第２パイプ７を第１パイプ４より伸縮する際に使用者が塵埃の付着した第２パイプを触ることなく使用することができる使用性の高い電気掃除機を実現することができる。
【産業上の利用可能性】
【００２４】
本発明は、掃除機本体に伸縮自在のパイプ手段を有する電気掃除機に広く利用することが可能である。
【符号の説明】
【００２５】
１    吸込口体
２    集塵室
３    掃除機本体
４    第１パイプ
５    把手部
６    集塵ホース
７    第２パイプ
８    吸込開口
９    収納部
１０  シール材
１１  塵埃除去体
【図１】
2014223110.tif 000003
【図２】
2014223110.tif 000004
【図３】
2014223110.tif 000005
【図４】
2014223110.tif 000006
【図５】
2014223110.tif 000007